(57)【要約】【課題】端末が適切な画像表示装置を容易に識別することが出来る画像表示システムを提供する。【解決手段】ネットワークを介して端末と、複数の画像表示装置とが接続される画像表示システムであって、前記複数の画像表示装置の各々を識別する識別子を前記端末に送信する第一の送信手段と、受信した前記識別子に基づいて、前記複数の画像表示装置のうちの少なくとも一つを決定する決定手段と、決定された少なくとも一つの前記画像表示装置に対し、前記端末からコンテンツを送信する第二の送信手段と、受信した前記コンテンツを前記画像表示装置の画面に表示する第一の表示手段と、を有する画像表示システムを提供する。【選択図】図２４
2016045291.tif 000002
【特許請求の範囲】
【請求項１】
ネットワークを介して端末と、複数の画像表示装置とが接続される画像表示システムであって、
前記複数の画像表示装置各々を識別する識別子を前記端末に送信する第一の送信手段と、
受信した前記識別子に基づいて、前記複数の画像表示装置のうちの少なくとも一つを決定する決定手段と、
決定された少なくとも一つの前記画像表示装置に対し、前記端末からコンテンツを送信する第二の送信手段と、
受信した前記コンテンツを前記画像表示装置の画面に表示する第一の表示手段と、
を有する画像表示システム。
【請求項２】
前記識別子を前記画像表示装置に記憶する第一の記憶手段と、
前記画像表示装置の各々の前記識別子を含む識別子リストを前記端末に記憶する第二の記憶手段と、
前記決定手段は、受信した前記識別子と、前記識別子リストを比較した結果が所定の条件を満たす場合に、前記複数の画像表示装置のうちの少なくとも一つを決定する、請求項１に記載の画像表示システム。
【請求項３】
前記端末の画面に画像を表示する第二の表示手段を、有し、
前記第一の送信手段は、前記識別子を前記端末に送信すると共に前記コンテンツの送信を前記端末に要求し、
前記第二の送信手段は、前記コンテンツの送信の要求を受けた場合に、前記端末の画面に表示された画像をキャプチャすることで前記コンテンツを生成する、請求項２に記載の画像表示システム。
【請求項４】
前記識別子を生成する識別子生成手段を、有し、
前記第二の記憶手段は、前記識別子生成手段により生成された前記識別子を前記識別子リストに格納して記憶する、請求項３に記載の画像表示システム。
【請求項５】
前記第二の記憶手段は、前記識別子リストに格納されている前記識別子の数が所定の値を超えない場合に、前記識別子生成手段により生成された前記識別子を前記識別子リストに格納して記憶する、請求項４に記載の画像表示システム。
【請求項６】
前記第二の記憶手段は、前記識別子リストに格納されている前記識別子の数が所定の値を超える場合に、前記識別子リストに格納されている前記識別子のいずれかを削除して、前記識別子生成手段により生成された前記識別子を前記識別子リストに格納して記憶する、請求項４に記載の画像表示システム。
【請求項７】
前記端末に対するユーザからの入力を受け付ける入力手段を、有し、
前記第二の記憶手段は、前記入力手段からの入力に基づき、前記識別子リストのうちいずれかの前記識別子を削除する、請求項２乃至６のいずれか一項に記載の画像表示システム。
【請求項８】
前記第二の記憶手段は、前記コンテンツの送信の要求を受信した回数を前記画像表示装置各々と対応づけて前記識別子リストに記憶し、
前記決定手段は、前記コンテンツの送信の要求を受信した場合において、前記コンテンツの送信の要求を受信した回数が所定の回数を超えていない場合に、前記複数の画像表示装置のうちの少なくとも一つを決定する、請求項７に記載の画像表示システム。
【請求項９】
前記第二の記憶手段は、前記コンテンツの送信の要求を受け付けることができる期間を前記画像表示装置各々と対応づけて前記識別子リストに記憶し、
前記決定手段は、前記コンテンツの送信の要求を受けた場合において、最初に前記コンテンツの送信の要求を受けた時刻から前記期間を超えていない場合に、前記複数の画像表示装置のうちの少なくとも一つを決定する、請求項７に記載の画像表示システム。
【請求項１０】
前記入力手段は、ユーザから前記期間の入力を受け付け、
前記第二の記憶手段は、前記期間を、前記画像表示装置各々と対応づけて前記識別子リストに記憶する、請求項９に記載の画像表示システム。
【請求項１１】
前記決定手段は、前記コンテンツの送信の要求を受けた場合において、最後に前記コンテンツの送信の要求を受けた時刻から所定の期間を超えていない場合に、前記複数の画像表示装置のうちの少なくとも一つを決定する、請求項７に記載の画像表示システム。
【請求項１２】
前記端末の画面に前記識別子を表示させる第二の表示手段を有し、
前記第一の送信手段は、前記画像表示装置の画面に表示されている画像から前記識別子を生成して前記端末に送信し、
前記第二の表示手段は、受信した前記識別子を前記端末の画面に表示することで、ユーザに対し前記識別子の選択を促し、
前記決定手段は、前記選択に基づいて前記複数の画像表示装置のうちの少なくとも一つを決定する、請求項１に記載の画像表示システム。
【請求項１３】
前記第一の送信手段は、前記画像表示装置の画面に表示されている画像から前記識別子を生成すると共に、前記画像表示装置の画面に表示されている画像の名称を前記端末に送信し、
前記第二の表示手段は、受信した前記識別子及び前記画像の名称を前記端末の画面に表示する、請求項１２に記載の画像表示システム。
【請求項１４】
前記第一の送信手段は、前記端末とは異なる端末から受信した前記コンテンツを表示している前記画像表示装置の画面から前記識別子を生成した場合、前記異なる端末の端末情報を、生成した前記識別子と共に前記端末に送信し、
前記第二の表示手段は、受信した前記識別子及び前記端末情報を前記端末の画面に表示する、請求項１２又は１３に記載の画像表示システム。
【請求項１５】
前記第二の送信手段は、確認タグを前記画像表示装置に送信し、
前記第一の表示手段は、前記確認タグを前記画像表示装置の画面に表示する、請求項１２乃至１４のいずれか一項に記載の画像表示システム。
【請求項１６】
前記第一の送信手段は、前記識別子の送信の要求を受けた場合、前記識別子の送信を拒否することができる、請求項１２乃至１５のいずれか一項に記載の画像表示システム。
【請求項１７】
前記第一の表示手段は、前記端末に対し前記画像表示装置の画面に前記コンテンツを表示することができない状態であることを通知し、
前記第二の表示手段は、前記通知を受けたことを前記端末の画面に表示する、請求項１２乃至１６のいずれか一項に記載の画像表示システム。
【請求項１８】
前記第一の送信手段は、前記画像表示装置の画面をキャプチャし、キャプチャした画像に所定の加工を施すことで前記識別子を生成して前記端末に送信する、請求項請求項１２乃至１７のいずれか一項に記載の画像表示システム。
【請求項１９】
前記第一の送信手段は、定期的に前記識別子を生成して前記端末に送信する、請求項１２乃至１８のいずれか一項に記載の画像表示システム。
【請求項２０】
前記第一の送信手段は、定期的に前記画像表示装置の画面が所定量変化した場合に前記端末に送信する、請求項１２乃至１９のいずれか一項に記載の画像表示システム。
【請求項２１】
前記第一の送信手段は、予め指定された情報量以下の情報量の前記識別子を生成して前記端末に送信する、請求項１２乃至２０のいずれか一項に記載の画像表示システム。
【請求項２２】
ネットワークを介して、複数の画像表示装置と接続される端末であって、
前記複数の画像表示装置から受信した識別子に基づいて、前記複数の画像表示装置のうちの少なくとも一つを決定する決定手段と、
決定された少なくとも一つの前記画像表示装置に対し、前記画像表示装置の画面に表示させるためにコンテンツを送信する送信手段と、
を有する端末。
【請求項２３】
ネットワークを介して、端末と接続される画像表示装置であって、
前記画像表示装置を識別する識別子を前記端末に送信する送信手段と、
前記端末からコンテンツを受信する通信手段であって、前記コンテンツは、前記識別子に基づいて当該画像表示装置に前記コンテンツを送信することを決定した前記端末から送信されたコンテンツである、通信手段と、
前記コンテンツを表示する表示手段と、
を有する画像表示装置。
【請求項２４】
ネットワークを介して、複数の画像表示装置と接続される端末にコンテンツを送信させるプログラムであって、
前記端末に、
前記画像表示装置から受信した識別子に基づいて、前記複数の画像表示装置のうちの少なくとも一つを決定する決定ステップと、
決定された少なくとも一つの前記画像表示装置に対し、前記画像表示装置の画面に表示させるためにコンテンツを送信する送信ステップと、
を実行させるプログラム。
【発明の詳細な説明】
【技術分野】
【０００１】
本発明は、画像表示システム、端末、画像表示装置及びプログラムに関する。
【背景技術】
【０００２】
会議等において、ＰＣ（Ｐｅｒｓｏｎａｌ Ｃｏｍｐｕｔｅｒ）等の端末とプロジェクタ等の画像表示装置を接続し、端末が保持する画像データ等を画像表示装置に表示させることが一般的に行われている。さらに、端末と画像表示装置を接続する場合、ＲＧＢケーブル等の映像送信用ケーブルを用いて接続する代わりに、有線ＬＡＮ（Ｌｏｃａｌ Ａｒｅａ Ｎｅｔｗｏｒｋ）又は無線ＬＡＮ等のネットワークを介して接続する技術が既に知られている。
【０００３】
複数の画像表示装置が設置されている環境において端末と画像表示装置とを接続する際、映像送信用ケーブルを用いて直接接続する場合は、目視によって接続先の画像表示装置を確認出来るため、誤った画像表示装置に端末を接続してしまうことは考え難い。しかしながら、ネットワークを介して接続する場合は、一般的にＩＰアドレス等の情報に基づいて接続先の画像表示装置を選択するため、設定ミスや不注意等により、誤った画像表示装置に端末を接続してしまうことは十分あり得る。
【発明の概要】
【発明が解決しようとする課題】
【０００４】
複数の画像表示装置が設置されている環境において、ネットワークを介して端末を適切な画像表示装置に接続させることには困難を伴っていた。また、端末が複数の画像表示装置のうちどの画像表示装置と接続されているのかを識別するのにも困難を伴っていた。
【０００５】
開示の技術は上記に鑑みてなされたものであって、端末が適切な画像表示装置を容易に識別することが出来る画像表示システムを提供することを目的とする。
【課題を解決するための手段】
【０００６】
開示の一態様の画像表示システムによれば、ネットワークを介して端末と、複数の画像表示装置とが接続される画像表示システムであって、前記複数の画像表示装置の各々を識別する識別子を前記端末に送信する第一の送信手段と、受信した前記識別子に基づいて、前記複数の画像表示装置のうちの少なくとも一つを決定する決定手段と、決定された少なくとも一つの前記画像表示装置に対し、前記端末からコンテンツを送信する第二の送信手段と、受信した前記コンテンツを前記画像表示装置の画面に表示する第一の表示手段と、を有する。
【発明の効果】
【０００７】
開示の技術によれば、情報処理端末が適切な画像表示装置を容易に識別することが出来る画像情報表示システムを提供することができる。
【図面の簡単な説明】
【０００８】
【図１】第一の実施の形態に係る画像表示システムのネットワーク構成の一例を示す図である。
【図２】画像表示装置のハードウェア構成の一例を示す図である。
【図３】端末のハードウェア構成の一例を示す図である。
【図４】第一の実施の形態に係る画像表示装置の機能ブロック構成の一例を示す図である。
【図５】第一の実施の形態に係る端末の機能ブロック構成の一例を示す図である。
【図６】許可証を登録する処理手順の一例を示すシーケンス図である。
【図７】識別子リストの一例を示す図である。
【図８】接続端末一覧の一例を示す図である。
【図９】許可証を用いて端末の画面キャプチャを情報処理装置に送信する処理手順の一例を示すシーケンス図である。
【図１０】画像表示装置アドレスを登録する処理手順の一例を示すシーケンス図である。
【図１１】画像表示装置アドレスを用いて端末の画面キャプチャを情報処理装置に送信する処理手順の一例を示すシーケンス図である。
【図１２】画面送信可否判断処理（変形例１）に用いる識別子リストの一例を示す図である。
【図１３】画面送信可否判断処理（変形例１）の処理手順の一例を示すフローチャートである。
【図１４】画面送信可否判断処理（変形例２）に用いる識別子リストの一例を示す図である。
【図１５】有効期間設定画面の一例を示す図である。
【図１６】画面送信可否判断処理（変形例２）の処理手順の一例を示すフローチャートである。
【図１７】画面送信可否判断処理（変形例３）に用いる識別子リストの一例を示す図である。
【図１８】画面送信可否判断処理（変形例３）の処理手順の一例を示すフローチャートである。
【図１９】識別子登録処理（変形例１）の処理手順の一例を示す図である。
【図２０】識別子登録処理（変形例２）に用いる識別子リストの一例を示す図である。
【図２１】識別子登録処理（変形例２）の処理手順の一例を示す図である。
【図２２】登録解除処理の処理手順の一例を示す図である。
【図２３】登録状態を解除した場合の表示画面の一例を示す図である。
【図２４】第二の実施の形態に係る画像表示システムのネットワーク構成の一例を示す図である。
【図２５】第二の実施の形態に係る画像表示装置の機能ブロック構成の一例を示す図である。
【図２６】第二の実施の形態に係る端末の機能ブロック構成の一例を示す図である。
【図２７】端末に取得画像を表示する処理手順の一例を示すシーケンス図である。
【図２８】表示中画像情報の一例を示す図である。
【図２９】端末の画面に表示される取得画像等の一例を示す図である。
【図３０】端末から画像表示装置にコンテンツを送信する処理手順の一例を示すシーケンス図である。
【図３１】記憶媒体に記憶された画像ファイルを画像表示装置の画面に表示する処理手順の一例を示すシーケンス図である。
【図３２】端末及び画像表示装置の間で接続確認を行う処理手順の一例を示すシーケンス図である。
【発明を実施するための形態】
【０００９】
以下、図面を参照して実施の形態について説明する。各図面において、同一構成部分には同一符号を付し、重複した説明を省略する場合がある。
【００１０】
[第一の実施の形態]
（１．概要）
図１は、第一の実施の形態に係る画像表示システムのネットワーク構成の一例を示す図である。画像表示装置１ａ及び１ｂ（以下、複数の画像表示装置を総称する場合は、画像表示装置１と記載する）と端末２ａ、２ｂ、２ｃ及び２ｄ（以下、複数の端末を総称する場合は、端末２と記載する）とが、ネットワーク３を介して接続されている。第一の実施の形態に係る画像表示システムは、２台の画像表示装置１及び４台の端末２を有しているが、画像表示装置１は１台又は３台以上であってもよく、端末２は１〜３台又は５台以上であってもよい。
【００１１】
画像表示装置１は、各端末２が有する画像を取得し、光源１０７をスクリーンに向けて照射することで形成される画面に、当該画像を表示する。図１では、端末２ａ、端末２ｂ、端末２ｃ及び端末２ｄの４台の端末２の画像が、画像表示装置１ａの一画面に表示できるように処理され、１つの表示エリア４ａを複数に分割（ここでは、４分割）した分割領域にそれぞれ表示されている。
【００１２】
端末２は、端末２自身に保存された画像ファイル４１２又はインターネット等のネットワーク３を介して取得した画像ファイル４１２等を、画像表示装置１に送信する。
【００１３】
ネットワーク３は、例えばＬＡＮ（Ｌｏｃａｌ Ａｒｅａ Ｎｅｔｗｏｒｋ）、無線ＬＡＮ、ＷＡＮ（Ｗｉｄｅ Ａｒｅａ Ｎｅｔｗｏｒｋ）、専用線、又はインターネット等であり、画像表示装置１と端末２との間で送受信される通信パケットを伝送する。
【００１４】
ここで、第一の実施の形態に係る画像表示システムの背景について説明する。
【００１５】
ネットワーク３を介して端末２の画面に表示されている画像を画像表示装置１の画面に表示させ、端末２の画面をキャプチャするタイミングを端末２が自ら決定して画像表示装置１に画像を送信する場合を想定する。この場合、複数の端末２の画像を同時に画像表示装置１の画面に表示させるため、画像表示装置１に負荷が集中する場合がある。
【００１６】
画像表示装置１に負荷が集中するのを避けるため、端末２の画像を送信するタイミングを画像表示装置１が決定することが考えられる。しかし、どの画像表示装置１と接続しているのかを端末２が判断出来ないと、端末２は意図しない画像表示装置１に対しても画像を送信してしまうというセキュリティ上の問題が発生する可能性がある。
【００１７】
そこで、第一の実施の形態に係る画像表示システムでは、端末２が画像表示装置１に対して簡易なコミュニケーションを行うことよって、端末２が画像表示装置１を識別出来るようにする。
【００１８】
具体的には、画像表示装置１の各々を識別するための識別子を端末２が記憶しておく。画像表示装置１が端末２の画像を端末２に対して要求する際、当該要求に識別子を含ませる。端末２では、受信した識別子と予め記憶した識別子とを比較することで、端末２は、画像表示装置１を識別することができる。
【００１９】
（２．ハードウェア構成）
図２は、画像表示装置のハードウェア構成の一例を示す図である。
【００２０】
画像表示装置１は、ＣＰＵ１０１、記憶装置１０２、通信Ｉ／Ｆ１０３、ドライブ装置１０４、ＤＳＰ１０５（Ｄｉｇｉａｌ  Ｓｉｇｎａｌ Ｐｒｏｃｅｓｓｏｒ）、作像エンジン１０６、光源１０７、レンズ１０８、映像Ｉ／Ｆ１０９及び操作部１１１を有する。画像表示装置１は、例えばプロジェクタであるが、光源１０７及びレンズ１０８に代えてディスプレイを備えたテレビモニタ等であってもよい。
【００２１】
ＣＰＵ１０１は、記憶装置１０２、通信Ｉ／Ｆ１０３、ドライブ装置１０４、ＤＳＰ１０５、作像エンジン１０６、及び映像Ｉ／Ｆ１０９とのデータ受渡し処理を行う。また、ＣＰＵ１０１はデータ比較等の処理を行う。記憶装置１０２には、各種のプログラム、プログラムによって利用されるデータ、各種設定情報等が記憶される。記憶装置１０２は、また、プログラムをロードするための記憶領域、及びロードされたプログラムのワーク領域等としても用いられる。
【００２２】
ドライブ装置１０４は、第一の実施の形態を実現するプログラムを記録した記憶媒体１１０からプログラムを読み取る。ドライブ装置１０４によって読み取られたプログラムは、記憶装置１０２にロードされる。なお、記憶媒体１１０とは、非一時的（ｎｏｎ−ｔｒａｎｓｉｔｏｒｙ）な記憶媒体１１０を言う。記憶媒体１１０の例としては、磁気記憶媒体、光ディスク、光磁気記憶媒体、不揮発性メモリなどがある。
【００２３】
通信Ｉ／Ｆ１０３は、例えば無線ＬＡＮ等に接続され、端末２との通信を行う。ＤＳＰ１０５は、画面に表示する画像に対してデジタル信号処理を行う。作像エンジン１０６はデジタル信号処理後の画像に基づいて作像処理を行う。光源１０７及びレンズ１０８は作像処理された画像をスクリーン等に投影する。
【００２４】
映像Ｉ／Ｆ１０９は、ＨＤＭＩ（登録商標）(Ｈｉｇｈ−Ｄｅｆｉｎｉｔｉｏｎ−Ｍｕｌｔｉｍｅｄｉａ−Ｉｎｔｅｒｆａｃｅ)又はビデオ信号等を入力するインタフェースである。操作部１１１は、例えばキーボード又はマウスであり、ユーザからの各種入力を受け付ける。
【００２５】
図３は、端末のハードウェア構成の一例を示す図である。端末２は、ＣＰＵ２０１と、ＲＯＭ２０２と、ＲＡＭ２０３と、ＮＶＲＡＭ２０４と、通信Ｉ／Ｆ２０５と、操作部２０８と、表示部２０９と、ドライブ装置２０６とを有する。端末２は、例えばＰＣ（Ｐｅｒｓｏｎａｌ Ｃｏｍｐｕｔｅｒ）又はスマートフォンやタブレット端末といった携帯端末等である。
【００２６】
ＣＰＵ２０１は、ＲＯＭ２０２、ＲＡＭ２０３、ＮＶＲＡＭ２０４、通信Ｉ／Ｆ２０５とのデータ受渡し及びデータ送信等の処理を行う。ＲＯＭ２０２には、各種のプログラムやプログラムによって利用されるデータ等が記憶される。ＮＶＲＡＭ２０４には、各種の設定情報等が記憶される。ＲＡＭ２０３は、プログラムをロードするための記憶領域や、ロードされたプログラムのワーク領域等として用いられる。
【００２７】
通信Ｉ／Ｆ２０５は、無線ＬＡＮ等に接続され、画像処理装置との通信を行う。操作部２０８は、例えばキーボード又はマウスであり、ユーザからの各種入力を受け付ける。表示部２０９は、例えば液晶ディスプレイ又はタッチパネル等であり、ユーザへのメッセージ等を表示する。
【００２８】
ドライブ装置２０６は、プログラムを記録した記憶媒体１１０からプログラムを読み取る。ドライブ装置２０６によって読み取られたプログラムは、例えばＲＡＭ２０３にロードされ、ＣＰＵ２０１により実行される。
【００２９】
（３．機能）
図４は、第一の実施の形態に係る画像表示装置の機能ブロック構成の一例を示す図である。画像表示装置１は、通信手段３０１と、接続端末管理手段３０２と、送信手段３０３と、画像生成手段３０４と、表示手段３０５と、記憶手段３０６と、記憶手段３０６に記憶される接続端末一覧３１１とを有する。
【００３０】
これら各手段は、画像表示装置１にインストールされた１以上のプログラムが、ＣＰＵ１０１に実行させる処理により実現され得る。また、画像表示装置１は、記憶手段３０６を利用する。記憶手段３０６は、画像表示装置１が備える記憶装置１０２又は画像表示装置１にネットワーク３を介して接続される外部記憶装置等を用いて実現可能である。記憶手段３０６には、接続端末一覧３１１が記憶される。
【００３１】
通信手段３０１は、通信Ｉ／Ｆ１０３を介して端末２とデータの受け渡しを行う。
【００３２】
接続端末管理手段３０２は、画像を要求する対象の端末２を、接続端末一覧３１１に基づいて管理する。
【００３３】
送信手段３０３は、画像を要求するための信号を各端末２に向けて送信する。
【００３４】
画像生成手段３０４は、各端末２から受信した画像の各々を並べて一枚の画像を生成する。
【００３５】
表示手段３０５は、画像生成手段が生成した一枚の画像を、光源１０７及びレンズ１０８を介してスクリーン等に表示させる。なお、画像は静止画に限らず、動画像であってもよい。
【００３６】
接続端末一覧３１１は、画像表示装置１に接続されている端末２を画像表示装置１が認識するために使用する情報であり、画像表示装置１と接続している端末２のＩＰアドレス、各端末２に送信する識別子を含む。
【００３７】
図５は、第一の実施の形態に係る端末の機能ブロック構成の一例を示す図である。端末２は、通信手段４０１と、識別子生成手段４０２と、決定手段４０３と、キャプチャ手段４０４と、表示手段４０５と、入力手段４０６と、記憶手段４０７と、識別子リスト４１１と、画像ファイル４１２とを有する。
【００３８】
これら各手段は、端末２にインストールされた１以上のプログラムが、ＣＰＵ２０１に実行させる処理により実現され得る。また、画像表示装置１は、記憶手段４０７を利用する。記憶手段４０７は、ＮＶＲＡＭ２０４、ＲＡＭ２０３、又は画像表示装置１にネットワーク３を介して接続される外部記憶装置等を用いて実現可能である。記憶手段４０７には、識別子リスト４１１と、画像ファイル４１２とが記憶される。
【００３９】
通信手段４０１は、通信Ｉ／Ｆ２０５を介して画像表示装置１とデータの受け渡しを行う。
【００４０】
識別子生成手段４０２は、識別子を生成して画像表示装置１に送信する。また、生成した識別子を識別子リスト４１１に保存する。なお、識別子生成手段４０２は、識別子リスト４１１に保存する識別子の数に上限を持たせるようにしてもよい。
【００４１】
決定手段４０３は、画像表示装置１から識別子を受信した場合に、当該識別子が識別子リスト４１１に存在するか否かを検索し、当該識別子が識別子リスト４１１に存在する場合に、キャプチャ手段４０４に対し端末２の画面をキャプチャすることを許可する。
【００４２】
キャプチャ手段４０４は、決定手段４０３の許可に応じて、端末２の画面をキャプチャすることで画像を生成する。なお、生成する画像は、端末２の画面をキャプチャした画像に限られるものではなく、例えば、バックグラウンドで動作しているアプリケーションが出力する画像でもよい。
【００４３】
表示手段４０５は、画像ファイル４１２を端末２が備える画面に表示させる。入力手段４０６は、ユーザから端末２の操作を受け付ける。
【００４４】
識別子リスト４１１は、画像表示装置１各々の識別子を１又は複数格納したものである。
【００４５】
画像ファイル４１２は、例えば文書ファイル、プレゼンテーション用ファイル、動画ファイル、画像ファイル等である。画像ファイル４１２は、必ずしも端末２に記憶されている必要はなく、ネットワーク３を介して接続されたサーバ等からストリーミングにより受信した動画ファイル等であってもよい。
【００４６】
（４．処理手順）
[識別子登録処理（その１）]
端末２が有する画像ファイル４１２を画像表示装置１の画面に表示する前に、予め端末２及び画像表示装置１の各々に、同一の識別子を登録する処理を説明する。
【００４７】
まず、識別子に許可証１１０２を用いる場合の識別子登録処理を説明する。
【００４８】
許可証１１０２は、画像表示装置１ごとに一意に生成されるものであり、例えば、アルファベット又は数字を組み合わせた文字列により構成される。
【００４９】
図６は、許可証を登録する処理手順の一例を示すシーケンス図である。
【００５０】
端末２の入力手段４０６は、ユーザに画像表示装置名１１０１を入力することを促すことで、画像表示装置１と接続を開始する旨の指示を受け付ける（Ｓ１００１）。続いて、入力手段４０６は、通信手段４０１に対し、入力された画像表示装置名１１０１を送信する（Ｓ１００２）。ここで、画像表示装置名１１０１とは、画像表示装置１の名称であり、ユーザが任意に設定する名称である。
【００５１】
続いて、通信手段４０１は、識別子生成手段４０２に許可証１１０２を生成させるために、画像表示装置名１１０１を送信する（Ｓ１００３）。識別子生成手段４０２は、受信した画像表示装置名１１０１に対応する許可証１１０２を生成し（Ｓ１００４）、識別子リスト４１１に格納する（Ｓ１００５）。
【００５２】
図７は、識別子リストの一例を示す図である。図７（ａ）は、識別子が許可証１１０２の場合における識別子リスト４１１の一例を示している。識別子リスト４１１は、画像表示装置１ごとに１レコードずつ生成され、それぞれのレコードに、画像表示装置名１１０１と当該画像表示装置名１１０１に対応する許可証１１０２とが格納される。
【００５３】
続いて、識別子生成手段４０２は、生成した許可証１１０２を通信手段４０１に送信する（Ｓ１００６）。続いて、通信手段４０１は、端末識別子１１１１及び許可証１１０２を含む端末接続要求を画像表示装置１に送信する（Ｓ１００７）。
【００５４】
ここで、端末識別子１１１１は、例えば、アルファベット又は数字を組み合わせた文字列により構成される端末２の名称等であり、予め端末２に記憶されている。
【００５５】
画像処理装置の通信手段３０１は、端末接続要求を受信すると、接続端末管理手段３０２に対し、端末識別子１１１１の登録及び許可証１１０２の登録を指示する（Ｓ１００８、Ｓ１００９）。続いて、接続端末管理手段３０２は、端末識別子１１１１と、許可証１１０２と、端末アドレス１１１２とを接続端末一覧３１１に格納（Ｓ１０１０）する。ここで、端末アドレス１１１２とは、例えば端末２のＩＰアドレスである。なお、接続端末一覧３１１に格納する端末アドレス１１１２は、通信手段３０１が受信した端末接続要求のヘッダ部に含まれている端末２のＩＰアドレスを用いてもよい。
【００５６】
図８は、接続端末一覧の一例を示す図である。識別子に許可証１１０２を用いる場合、図８（ａ）に示す接続端末一覧３１１が生成される。接続端末一覧３１１は、端末２ごとに１レコードずつ生成され、それぞれのレコードに端末識別子１１１１と、端末アドレス１１１２と、許可証１１０２とを有する。
【００５７】
[画像送信処理（その１）]
端末２及び画像表示装置１に同一の識別子が登録されると、画像表示装置１は端末２に対し画像の送信を要求することができる状態になる。
【００５８】
図９は、許可証を用いて端末の画面キャプチャを情報処理装置に送信する処理手順の一例を示すシーケンス図である。なお、第一の実施の形態は、図１に示す通り４台の端末２が情報処理装置に接続されているため、各端末２に対してステップＳ１２０２〜Ｓ１２２０が並行して実行される。
【００５９】
画像表示装置１の画像生成手段３０４は、各端末２の画面をキャプチャした画像を一画面に含む一覧画面の表示を開始する（Ｓ１２０１）。続いて、画像生成手段３０４は、画像の送信を要求する端末２を選択し、選択された端末２の端末識別子１１１１を含む画面生成要求を送信手段３０３に送信する（Ｓ１２０２）。
【００６０】
続いて、接続端末管理手段３０２は、送信手段３０３から端末識別子１１１１を含む端末情報取得要求を受けると（Ｓ１２０３）、接続端末一覧３１１から当該端末識別子１１１１に対応する許可証１１０２及び端末アドレス１１１２を検索し、送信手段３０３に許可証１１０２及び端末アドレス１１１２を含む端末情報取得応答を送信する（Ｓ１２０４）。
【００６１】
続いて、送信手段３０３は、通信手段３０１に対し端末アドレス１１１２及び許可証１１０２を含む端末画面取得要求を送信し（Ｓ１２０５）、通信手段３０１は、許可証１１０２を含む画面取得要求を、当該端末アドレス１１１２を有する端末２に向けて送信する（Ｓ１２０６）。
【００６２】
端末２の通信手段４０１は、画面取得要求を受けて、決定手段４０３に対し、許可証１１０２を含む画面送信可否判断要求を送信する（Ｓ１２０７）。続いて、決定手段４０３は、当該許可証１１０２をキーに識別子リスト４１１を検索し、当該許可証１１０２を含むレコードが識別子リスト４１１に存在するかを確認する（Ｓ１２０８）。当該許可証１１０２を含むレコードが存在する場合、決定手段４０３は、端末２の画面をキャプチャした画像を画像表示装置１に送信可能と判断し、ステップＳ１２０９に進む。一方、当該許可証１１０２を含むレコードが存在しない場合、決定手段４０３は、端末２の画面をキャプチャした画像を画像表示装置１に送信できないと判断し、ステップＳ１２１６に進む。
【００６３】
決定手段４０３は、画面キャプチャ要求をキャプチャ手段４０４に送信し（Ｓ１２０９）、キャプチャ手段４０４は、端末２の画面をキャプチャする（Ｓ１２１０）。続いて、キャプチャ手段４０４は、通信手段４０１にキャプチャした画像を含む画面キャプチャ完了通知を送信する（Ｓ１２１１）し、通信手段４０１は、画像表示装置１にキャプチャした画像を含む画面取得応答を送信する（Ｓ１２１２）。
【００６４】
画像表示装置１の通信手段３０１は、画面取得応答を受信すると、キャプチャした画像を含む端末画面取得応答を送信手段３０３に送信し（Ｓ１２１３）、送信手段３０３は画面取得応答を画像生成手段３０４に送信する（Ｓ１２１４）。続いて、画像生成手段３０４は、キャプチャした画像を含む表示画面更新要求を表示手段３０５に送信（Ｓ１２１５）し、表示手段３０５は、画像情報処理装置の画面を更新し、処理を終了する。
【００６５】
次に、端末２の画面をキャプチャした画像を画像表示装置１に送信しないと判断した場合の処理手順を説明する。決定手段４０３は、画面取得応答（不可）を通信手段４０１に送信し（Ｓ１２１６）、通信手段４０１は、画像表示装置１に対し、キャプチャした画像を送信しないことを示す画面取得応答を送信する（Ｓ１２１７）。
【００６６】
画像表示装置１の通信手段３０１は、画面取得応答を受信すると、端末画面取得応答を送信手段３０３に送信し（Ｓ１２１８）、送信手段３０３は画面取得応答を画像生成手段３０４に送信する（Ｓ１２１９）。続いて、画像生成手段３０４は、キャプチャした画像が受信できなかったことを示す表示画面更新要求を表示手段に送信（Ｓ１２２０）し、処理を終了する。
【００６７】
[識別子登録処理（その２）]
次に、識別子に画像表示装置１のＩＰアドレス（以下、「画像表示装置アドレス１１０３」という）を用いる場合の識別子登録処理を説明する。
【００６８】
図１０は、画像表示装置アドレスを登録する処理手順の一例を示すシーケンス図である。
【００６９】
端末２の入力手段４０６は、ユーザに画像表示装置名１１０１及び画像表示装置アドレス１１０３の入力を促すことで、表示装置と接続を開始する旨の指示を受け付ける（Ｓ１３０１）。続いて、入力手段４０６は、通信手段４０１に対し、入力された画像表示装置名１１０１及び画像表示装置アドレス１１０３を送信する（Ｓ１３０２）。
【００７０】
続いて、通信手段４０１は、識別子生成手段４０２に許可証１１０２を生成させるために、画像表示装置名１１０１及び画像表示装置アドレス１１０３を送信する（Ｓ１３０３）。識別子生成手段４０２は、受信した画像表示装置名１１０１に対応する許可証１１０２を生成し（Ｓ１３０４）、識別子リスト４１１に格納する（Ｓ１３０５）。
【００７１】
図７（ｂ）は、識別子が画像表示装置アドレスの場合における識別子リストの一例を示す図である。識別子リスト４１１は、画像表示装置１ごとに１レコードずつ生成され、それぞれのレコードに画像表示装置名１１０１と、当該画像表示装置名１１０１に対応する画像表示装置アドレス１１０３とが格納される。
【００７２】
続いて、識別子生成手段４０２は、識別子リスト４１１に画像表示装置名１１０１と画像表示装置アドレス１１０３とを格納したことを通信手段４０１に通知する（Ｓ１３０５）。続いて、通信手段４０１は、画像表示装置１に対し、予め端末２に記憶されている端末識別子１１１１を含む端末接続要求を送信する（Ｓ１３０６）。
【００７３】
画像処理装置の通信手段３０１は、端末接続要求を受信すると、接続端末管理手段３０２に対し、端末識別子１１１１の登録を指示し（Ｓ１３０７）、接続端末管理手段３０２は、端末識別子１１１１と、端末アドレス１１１２とを接続端末一覧３１１に格納（Ｓ１３０８）する。
【００７４】
図８（ｂ）は、識別子に画像表示装置アドレスを用いる場合に生成される接続端末一覧の一例を示す図である。接続端末一覧３１１は、端末２ごとに１レコードずつ生成され、それぞれのレコードに端末識別子１１１１と、端末アドレス１１１２とが格納される。
【００７５】
[画像送信処理（その２）]
次に、識別子に画像表示装置１のＩＰアドレスを用いる場合の画像送信処理を説明する。
【００７６】
図１１は、画像表示装置アドレスを用いて端末の画面キャプチャを情報処理装置に送信する処理手順の一例を示すシーケンス図である。なお、第一の実施の形態は、図１に示す通り４台の端末２が情報処理装置に接続されているが、それぞれの端末２に対して当該処理手順が並行して行われる。
【００７７】
ステップＳ１２０１〜Ｓ１２０３は、図９と同一であるため説明は省略する。接続端末管理手段３０２は、送信手段から受信した端末情報取得要求に含まれる端末識別子１１１１を受けると、接続端末一覧３１１から当該端末識別子１１１１に対応する端末アドレス１１１２を検索し、送信手段３０３に端末アドレス１１１２を含む端末情報取得応答を送信する（Ｓ１４０４）。
【００７８】
続いて、送信手段３０３は、通信手段３０１に対し端末アドレス１１１２を含む端末画面取得要求を送信し（Ｓ１４０５）する。通信手段３０１は、端末アドレス１１１２を含む画面取得要求を、当該端末アドレス１１１２を有する端末２に向けて送信する（Ｓ１４０６）。
【００７９】
端末２の通信手段４０１は、画面取得要求を受けて、決定手段４０３に対し、端末アドレス１１１２を含む画面送信可否判断要求を送信する（Ｓ１４０７）。続いて、決定手段４０３は、当該端末アドレス１１１２をキーに識別子リスト４１１を検索し、当該端末アドレス１１１２を含むレコードが識別子リスト４１１に存在するかを確認する（Ｓ１４０８）。当該端末アドレス１１１２を含むレコードが存在する場合、決定手段４０３は、端末２の画面をキャプチャした画像を画像表示装置１に送信可能と判断し、ステップＳ１２０９に進む。一方、当該許可証１１０２を含むレコードが存在しない場合、決定手段４０３は、端末２の画面をキャプチャした画像を画像表示装置１に送信できないと判断し、ステップＳ１２１６に進む。ステップＳ１２０９乃至ステップＳ１２２０の処理手順は、図９と同一であるため説明は省略する。
【００８０】
［画面送信可否判断の変形例１］
図９のステップＳ１２０８及び図１１のステップＳ１４０８で説明した、決定手段４０３による画面送信可否判断の変形例について説明する。
【００８１】
まず、変形例１として、画像表示装置１にキャプチャした画像を送信する回数を一定回数までに制限する場合における、画面送信可否判断の処理手順を説明する。なお、識別子に許可証１１０２を用いる場合を用いて説明するが、変形例１の画面送信可否判断は、識別子に画像表示装置アドレス１１０３を用いる場合にも適用できる。
【００８２】
図１２は、画面送信可否判断処理（変形例１）に用いる識別子リストの一例を示す図である。変形例１における識別子リスト４１１は、画像表示装置名１１０１と、許可証１１０２と、画面送信可能回数１１２１と、画面送信回数１１２２とを有する。
【００８３】
画面送信可能回数１１２１は、画像表示装置１に端末２の画面をキャプチャした画像を送信可能な回数の上限値である。例えば、画像表示装置１ごとに設定してもよいし、全ての画像表示装置１に対して同一の回数を設定するようにしてもよい。また、画面送信可能回数１１２１は、ユーザが任意の回数を設定するようにしてもよいし、予め定められた固定値を設定するようにしてもよい。
【００８４】
画面送信回数１１２２は、画像表示装置１に端末２の画面をキャプチャした画像を送信した回数であり、当該画像を１回送信することにインクリメントされる。
【００８５】
図１３は、画面送信可否判断処理（変形例１）の処理手順の一例を示すフローチャートである。
【００８６】
決定手段４０３は、通信手段４０１から許可証１１０２を含む画面送信可否判断要求を受信すると（Ｓ１５０１）、決定手段４０３は、当該許可証１１０２をキーに識別子リスト４１１を検索し、当該許可証１１０２を含むレコードが識別子リスト４１１に存在するかを確認する（Ｓ１５０２）。当該許可証１１０２を含むレコードが存在する場合、ステップＳ１５０３に進む。一方、当該許可証１１０２を含むレコードが存在しない場合、ステップＳ１５０６に進む。
【００８７】
続いて、決定手段４０３は、当該許可証１１０２を含むレコードから、画面送信可能回数１１２１及び画面送信回数１１２２を取得し、画面送信回数１１２２が画面送信可能回数１１２１未満であるかを確認する（Ｓ１５０３）。画面送信回数１１２２が画面送信可能回数１１２１未満である場合、ステップＳ１５０４の処理手順に進み、画面送信回数１１２２が画面送信可能回数１１２１以上である場合、ステップＳ１５０６に進む。
【００８８】
決定手段４０３は、キャプチャ手段４０４に対し画面キャプチャ要求を送信し（Ｓ１５０４）、識別子リスト４１１の画面送信回数１１２２をインクリメントする（Ｓ１５０５）。
【００８９】
ステップＳ１５０６で、決定手段４０３は、通信手段４０１に対し、画面取得応答（不可）（図９又は図１１のステップＳ１２１６）を送信する。なお、ステップＳ１５０４の処理手順は、図９のステップＳ１２０９と同一であり、ステップＳ１５０６の処理手順は、図９のステップＳ１２１６の処理手順と同一である。
【００９０】
以上、画面送信可否判断の変形例１を説明したが、端末２の画面のキャプチャが、画面表示装置から必要以上に行われることを防止することで、端末２の処理負荷軽減や、不正に画面のキャプチャがなされることによる情報漏えいを軽減する効果が得られる。
【００９１】
［画面送信可否判断の変形例２］
次に、変形例２として、画像表示装置１に端末２の画面をキャプチャした画像を最初に送信してから一定時間内に限り、端末２の画面をキャプチャした画像を送信可能とする場合における、画面送信可否判断の処理手順を説明する。なお、識別子に許可証１１０２を用いる場合を用いて説明するが、画面送信可否判断の変形例２は、識別子に画像表示装置アドレス１１０３を用いる場合においても適用出来る。
【００９２】
図１４は、画面送信可否判断処理（変形例２）に用いる識別子リストの一例を示す図である。変形例２における識別子リスト４１１は、画像表示装置名１１０１と、許可証１１０２と、初回送信時刻１１３１と、有効期間１１３２とを有する。
【００９３】
初回送信時刻１１３１は、画像表示装置１に対し、端末２の画面をキャプチャした画像を最初に送信した日時であり、画像表示装置１ごとに格納される。なお、端末２が、画像表示装置１に対して一度も端末２の画面をキャプチャした画像を送信していない場合、例えば、初回送信時刻１１３１が設定されていないことを示す「−」が設定される。
【００９４】
有効期間１１３２は、画像表示装置１に対し、端末２の画面をキャプチャした画像を送信可能な期間である。変形例２の場合は、初回送信時刻１１３１を基準とする期間を示す。具体的には、初回送信時刻１１３１に２０１４／０４／２１  １６：１２が設定されており、有効期間１１３２が０１：００である場合、２０１４／０４／２１  １７：１２までは、端末２は画像表示装置１に端末２の画面をキャプチャした画像を送信可能であるが、当該時刻を過ぎた場合は、端末２は画像表示装置１に端末２の画面をキャプチャした画像を送信しない。
【００９５】
図１５は、有効期間設定画面の一例を示す図である。有効期間１１３２設定画面１１４０は、端末２の表示部２０９に表示される画面であり、画像表示装置１ごとの有効期間１１３２の入力を促すボックス１１４１、ＯＫボタン１１４２、キャンセルボタン１１４３を有する。ボックス１１４１に入力された時間は、ＯＫボタン１１４２が押下されることで、識別子リスト４１１の有効期間１１３２に登録される。
【００９６】
図１６は、画面送信可否判断処理（変形例２）の処理手順の一例を示すフローチャートである。ステップＳ１５０１、ステップＳ１５０２、ステップＳ１５０５及びステップＳ１５０６の処理手順は、図１３と同一であるため説明は省略する。
【００９７】
決定手段４０３は、許可証１１０２を含むレコードに初回送信時刻１１３１が設定されているかを確認する（Ｓ１６０３）。初回送信時刻１１３１が設定されている場合は、ステップＳ１６０４に進む。初回送信時刻１１３１が設定されていない場合は、ステップＳ１６０５に進む。
【００９８】
ステップＳ１６０４で、決定手段４０３は、初回送信時刻１１３１及び有効期間１１３２から画面をキャプチャした画像を送信可能な時間を算出し、現在時刻と比較する。現在時刻が、当該送信可能な時間と同一又は、当該送信可能な時間を過ぎていない場合は、ステップＳ１５０５の処理手順に進む。現在時刻が、当該送信可能な時間を過ぎている場合、ステップＳ１５０６に進む。
【００９９】
以上、画面送信可否判断の変形例２を説明したが、端末２の画面のキャプチャが、画面表示装置から必要以上に行われることを防止することで、端末２の処理負荷軽減や、不正に画面のキャプチャがなされることによる情報漏えいを軽減する効果が得られる。
【０１００】
［画面送信可否判断の変形例３］
次に、変形例３として、画像表示装置１に端末２の画面をキャプチャした画像を最後に送信してから一定時間内に限り、端末２の画面をキャプチャした画像を送信可能とする場合の画面送信可否判断の処理手順を説明する。なお、識別子に許可証１１０２を用いる場合を用いて説明するが、画面送信可否判断の変形例３は、識別子に画像表示装置アドレス１１０３を用いる場合においても適用出来る。
【０１０１】
図１７は、画面送信可否判断処理（変形例３）に用いる識別子リストの一例を示す図である。変形例３における識別子リスト４１１は、画像表示装置名１１０１と、許可証１１０２と、前回送信時刻１１５１と、有効期間１１３２とを有する。
【０１０２】
前回送信時刻１１５１は、画像表示装置１に対し、端末２の画面をキャプチャした画像を最後に送信した日時であり、画像表示装置１ごとに格納される。なお、端末２が、画像表示装置１に対して一度も端末２の画面をキャプチャした画像を送信していない場合、例えば、前回送信時刻１１５１が設定されていないことを示す「−」が設定される。
【０１０３】
有効期間１１３２は、図１４と同一であるが、変形例３の場合は、前回送信時刻１１５１を基準とする期間を示す。
【０１０４】
図１８は、画面送信可否判断処理（変形例３）の処理手順の一例を示すフローチャートである。ステップＳ１５０１、ステップＳ１５０２、ステップＳ１５０５及びステップＳ１５０６の処理手順は、図１３と同一であるため説明は省略する。
【０１０５】
決定手段４０３は、許可証１１０２を含むレコードに前回送信時刻１１５１が設定されているかを確認する（Ｓ１７０１）。前回送信時刻１１５１が設定されている場合は、ステップＳ１７０２に進む。初回送信時刻１１３１が設定されていない場合は、ステップＳ１７０３に進む。
【０１０６】
ステップＳ１７０２で、決定手段４０３は、前回送信時刻１１５１及び有効期間１１３２と、現在時刻とを比較することで、前回送信時刻１１５１から有効期間１１３２が経過しているかを判断する。前回送信時刻１１５１から有効期間１１３２が経過していない場合は、ステップＳ１７０３の処理手順に進み、有効期間１１３２が経過している場合は、ステップＳ１５０６に進む。
【０１０７】
ステップＳ１７０３で、決定手段４０３は、前回送信時刻１１５１を現在時刻に更新する。
【０１０８】
以上、画面送信可否判断の変形例３を説明したが、端末２の画面のキャプチャが、画面表示装置から必要以上に行われることを防止することで、端末２の処理負荷軽減や、不正に画面のキャプチャがなされることによる情報漏えいを軽減する効果が得られる。
【０１０９】
［識別子登録処理の変形例１］
図６のステップＳ１００５及び図１０のステップＳ１３０４で説明した、識別子生成手段４０２が識別子を識別子リスト４１１に格納する処理の変形例について説明する。
【０１１０】
まず、変形例１として、識別子リスト４１１に格納可能な識別子の数に予め上限数を設定し、識別子を登録する際に、当該上限数を超えない場合に識別子を登録可能とする場合の処理手順を説明する。
【０１１１】
図１９は、識別子登録処理（変形例１）の処理手順の一例を示す図である。まず、
識別子生成手段４０２は、識別子リスト４１１に登録されている識別子の数が、予め設定された上限数未満であるか否かを確認する。識別子リスト４１１に登録されている識別子の数が、予め設定された上限数未満である場合、ステップＳ１８０２に進む。識別子リスト４１１に登録されている識別子の数が、予め設定された上限数である場合、ステップＳ１８０３に進む。
【０１１２】
ステップＳ１８０２で、識別子生成手段４０２は、通信手段４０１に対し、識別子リスト４１１に識別子を登録したことを通知する許可証送信応答（図６のＳ１００６）を送信する。
【０１１３】
ステップＳ１８０３で、識別子生成手段４０２は、通信手段４０１に対し、識別子リスト４１１に識別子が登録出来ないことを通知する許可証送信応答（図６のＳ１００６）を送信する。
【０１１４】
［識別子登録処理の変形例２］
次に、変形例２として、新たな識別子を登録する際、格納されている識別子が予め定められた上限数に達している場合は、最も登録日時１１６１が古い識別子を削除して当該新たな識別子を登録する場合の処理手順を説明する。
【０１１５】
なお、識別子に許可証１１０２を用いる場合を用いて説明するが、識別子登録処理の変形例２は、識別子に画像表示装置アドレス１１０３を用いる場合においても適用出来る。
【０１１６】
図２０は、識別子登録処理（変形例２）に用いる識別子リストの一例を示す図である。識別子リスト４１１は、画像表示装置名１１０１と、許可証１１０２と、登録日時１１６１とを含む。
【０１１７】
登録日時１１６１は、識別子を識別子リスト４１１に登録した時点の日時である。
【０１１８】
図２１は、識別子登録処理（変形例２）の処理手順の一例を示す図である。ステップＳ１８０１及びステップＳ１８０２は、図１９と同一であるため、説明は省略する。
【０１１９】
ステップＳ１８１１で、識別子リスト４１１に格納されている識別子の数が予め定められた上限数に達している場合、識別子生成手段４０２は、識別子リスト４１１から登録日時１１６１が最も古いレコードを検索し、当該レコードを削除する。当該レコードの削除により、登録日時１１６１が最も古い識別子が識別子リスト４１１から削除されることになる。
【０１２０】
［登録解除処理］
端末２と画像表示装置１との間で識別子の登録処理が完了している状態において、端末２の画面を画像表示装置１に表示する必要が無くなった場合等に、ユーザの指示等により、端末２と画像表示装置１との間の登録状態を解除する処理手順を説明する。
【０１２１】
図２２は、登録解除処理の処理手順の一例を示す図である。図２２は、端末２の画面をキャプチャした画像を画像表示装置１がスクリーン等に表示している場合において、ユーザの指示を受けて端末２と画像表示装置１との間の登録状態が解除され、その結果、画像表示装置１のスクリーン等に表示している画像が消去されるまでの処理手順を示している。
【０１２２】
ユーザの操作により、指定された画像表示装置１との登録解除が端末２に指示される（Ｓ１９０１）。続いて、端末２の入力手段４０６は、画像表示装置名１１０１を含む登録解除要求を通信手段４０１に送信し（Ｓ１９０２）、通信手段４０１は、指定された画像表示装置１に、端末識別子１１１１を含む登録解除要求を送信する（Ｓ１９０３）。
【０１２３】
画像表示装置１の通信手段３０１は、接続端末管理手段３０２に端末識別子１１１１を含む登録解除要求を送信すると（Ｓ１９０４）、接続端末管理手段３０２は、接続端末一覧３１１から受信した端末識別子１１１１を有するレコードを削除することで、接続端末一覧３１１を更新する。すなわち、受信した端末識別子１１１１、受信した端末識別子１１１１に対応する端末アドレス１１１２及び許可証１１０２が接続端末一覧３１１から削除される（Ｓ１９０５）。続いて、接続端末管理手段３０２は、表示手段３０５に対し、スクリーン等に表示している画像を消去するように指示し（Ｓ１９０６）、指示を受けた表示手段３０５は、表示を更新する（Ｓ１９０７）。
【０１２４】
図２３は、登録状態を解除した場合における表示画面の一例を示す図である。ユーザが、端末２ｂから画像表示装置１との登録解除を指示した場合、画像表示装置１の表示エリア４ａにおいて、端末２ｂの画面が消去されている。
【０１２５】
また、端末２の入力手段４０６は、ステップＳ１９０２の処理と並行して、ステップＳ１９０８の処理を行う。
【０１２６】
ステップＳ１９０８で、端末２の入力手段４０６は、ステップＳ１９０１で指定された画像表示装置名１１０１を含む識別子削除要求を、識別子生成手段４０２に送信する。続いて、識別子生成手段４０２は、識別子リスト４１１より、当該画像表示装置名１１０１を有するレコードを削除し（Ｓ１９０９）、入力手段４０６に対し、識別子の削除が完了したことを示す識別子削除応答を送信（Ｓ１９１０）して処理を終了する。
【０１２７】
以上、第一の実施の形態によれば、複数の端末２の画面を、画像表示装置１がネットワーク３を介して取得する画像表示システムにおいて、端末２と画像表示装置１との間の簡易なやり取りにより端末２が画像表示装置１を識別可能としたことで、利用者が認証のための煩雑な操作を別途行うことなく、簡易にセキュリティを高めることが出来る。
【０１２８】
なお、第一の実施の形態において、許可証１１０２又は画像表示装置アドレス１１０３は識別子の一例である。また、送信手段３０３は第一の送信手段の一例である。また、キャプチャ手段４０４は第二の送信手段の一例である。また、表示手段３０５は第一の表示手段の一例である。また、記憶手段３０６は、第一の記憶手段の一例である。また、記憶手段４０７は、第二の記憶手段の一例である。また、表示手段４０５は第二の表示手段の一例である。また、端末２の画面をキャプチャした画像はコンテンツの一例である。
【０１２９】
[第二の実施の形態]
次に、第二の実施の形態について図面に基づいて説明する。
【０１３０】
なお、第一の実施の形態と同一構成部分についての説明は省略する。また、特に言及しない点については、第一の実施の形態と同様でよい。
【０１３１】
（１．概要）
図２４は、第二の実施の形態に係る画像表示システムのネットワーク構成の一例を示す図である。画像表示装置１ａ、１ｂ、１ｃ、１ｄ及び端末２が、ネットワーク３を介して接続されている。第二の実施の形態に係る画像表示システムは、４台の画像表示装置１及び１台の端末２を有しているが、画像表示装置１は１乃至３台、又は５台以上であってもよい。また、端末２は２台以上であってもよい。
【０１３２】
画像表示装置１は、各端末２から受信した画像又は記憶媒体１１０に記憶されている画像等を、モニタ画面又は光源をクリーンに向けて照射することで形成される画面に表示する。
【０１３３】
端末２は、端末２自身に保存されたコンテンツ６１２又はインターネット等のネットワーク３を介して取得したコンテンツ６１２等を端末２の画面に表示すると共に、当該画面に表示される画像を画像表示装置１に送信する。
【０１３４】
ここで、第二の実施の形態に係る画像表示システムの背景について説明する。
【０１３５】
配線レスによる接続の簡易さから、端末２と画像表示装置１がネットワーク３で接続され、端末２の画面を画像表示装置１で表示するシステムが世の中には普及している。従来のネットワーク接続型の画像表示装置１では、端末２から接続対象の画像表示装置１を特定するために、画像表示装置１のＩＰアドレス又は画像表示装置名２６０１等の識別情報を端末２に表示させることで、端末２から接続対象の画像表示装置１を特定することを可能としている。しかしながら、同一ネットワーク上に複数の画像表示装置１が接続されている環境において、ＩＰアドレス又は画像表示装置名２６０１等の識別情報のみでは、ユーザは、端末２を誤った画像表示装置１に接続させてしまう恐れがあった。
【０１３６】
このような問題に対し、端末２から画像表示装置１にテスト用の画像等を表示させることで、ユーザが、端末２が正しい画像表示装置１に接続されているのかを確認出来るようにすることが考えられる。
【０１３７】
しかし、接続先の画像表示装置１が使用中の場合（すなわち、他の端末２から送信された画像や外部記憶媒体等の画像等を表示している場合）、一旦、画像表示装置１の使用を中止させなければならないという問題があった。
【０１３８】
そこで、第二の実施の形態に係る画像表示システムは、ネットワーク検索によって発見された画像表示装置１の各々の画面のスクリーンショットを取得し、取得したスクリーンショットを端末２の画面に一覧表示させるようにする。これにより、画像表示装置１が使用中であっても、ユーザは、端末２を誤った画像表示装置１に接続させてしまう可能性を低減させることができる。
【０１３９】
（２．ハードウェア構成）
第二の実施の形態に係る画像表示装置１及び端末２のハードウェア構成は、それぞれ図２及び図３と同一であるため説明は省略する。
【０１４０】
（３．機能）
図２５は、第二の実施の形態に係る画像表示装置の機能ブロック構成の一例を示す図である。画像表示装置１は、通信手段３０１と、要求管理手段５０２と、入力手段５０３と、取得画像送信手段５０４と、表示手段５０５と、機器情報管理手段５０６と、ファイル管理手段５０７と、記憶手段５０８と、表示中画像情報５１１と、機器情報５１２と、画像ファイル５１３とを有する。
【０１４１】
これら各手段は、画像表示装置１にインストールされた１以上のプログラムが、ＣＰＵ１０１に実行させる処理により実現される。画像表示装置１は、また、記憶手段５０８を利用する。記憶手段５０８は、画像表示装置１が備える記憶装置１０２、画像表示装置１に接続されるフラッシュメモリ等の記憶媒体１１０又は画像表示装置１にネットワーク３を介して接続される外部記憶装置等を用いて実現可能である。記憶手段５０８には、表示中画像情報５１１と、機器情報５１２と、画像ファイル５１３とが記憶される。
【０１４２】
要求管理手段５０２は、通信手段３０１又は入力手段５０３からの要求を受けて、要求に応じた処理手段に処理を渡す。入力手段５０３は、ユーザから画像表示装置１に対する操作を受け付ける。
【０１４３】
取得画像送信手段５０４は、画像表示装置１の画面をキャプチャすることでスクリーンショットを生成し、生成したスクリーンショット（以下、「取得画像２６３０」という）を、通信手段３０１を介して端末２に送信する。また、取得画像送信手段５０４は、取得画像２６３０を加工し、加工した取得画像を、通信手段３０１を介して端末２に送信するようにしてもよい。また、取得画像送信手段５０４は、定期的に取得画像２６３０を端末２に送信するようにしてもよい。
【０１４４】
表示手段５０５は、端末２から受信した画像又は記憶手段５０８に記憶された画像ファイル５１３等を光源１０７及びレンズ１０８を介してスクリーン等に表示させる。
【０１４５】
機器情報管理手段５０６は、記憶手段５０８に記憶されている機器情報５１２及び表示中画像情報５１１の設定又は読出し等を行う。ファイル管理手段５０７は、記憶手段５０８に記憶されている画像ファイル５１３の読出し等を行う。
【０１４６】
表示中画像情報５１１は、画像表示装置１の画面に表示されている画像に関する情報であり、画像表示状態２５０１、当該画像のファイル名２５０２、当該端末２のユーザ名（以下、「端末ユーザ名２５０３」という）、割込接続可否設定２５０４及び画像取得可否設定２５０５を含む。
【０１４７】
ここで、画像表示状態２５０１は、画像表示装置１の画面に画像を表示しているのか否かを示す設定値であり、「表示中」又は「非表示中」のいずれか一方が設定される。割込接続可否設定２５０４は、画像表示装置１の画面に画像を表示している状態において、他の端末２が画像表示装置１に接続して画像を送信しようとした場合に、既に画像表示装置１の画面に表示している画像を、他の端末２から送信された画像に置き換えることを許可するか否かを示す設定値であり、「割込可」又は「割込拒否」のいずれか一方が設定される。画像取得可否設定２５０５は、画像表示装置１から端末２に対し、取得画像２６３０を送信することを許可するか否かを示す設定値であり、「取得可」又は「取得拒否」のいずれか一方が設定される。なお、割込接続可否設定２５０４及び画像取得可否設定２５０５は、画像表示状態２５０１が「非表示中」に設定されている場合は、未設定を示す「−」が設定される。
【０１４８】
機器情報５１２は、画像表示装置１に関する情報であり、画像表示装置１のＩＰアドレス（以下、「画像表示装置アドレス２６０２」という）及び画像表示装置名２６０１等を含む。
【０１４９】
画像ファイル５１３は、例えばフラッシュメモリ等の記憶媒体１１０に格納されている、写真、動画等のファイルである。
【０１５０】
図２６は、第二の実施の形態に係る端末の機能ブロック構成の一例を示す図である。端末２は、通信手段４０１と、決定手段６０２と、表示手段６０５と、画像送信手段６０６と、記憶手段６０７と、記憶手段６０７に記憶されるコンテンツ６１２とを有する。また、決定手段６０２は、画像要求手段６０３と、入力手段６０４とを有する。
【０１５１】
これら各手段は、端末２にインストールされた１以上のプログラムが、ＣＰＵ２０１に実行させる処理により実現される。画像表示装置１は、また、記憶手段６０７を利用する。記憶手段６０７は、ＮＶＲＡＭ２０４、ＲＡＭ２０３、又は画像表示装置１にネットワーク３を介して接続される外部記憶装置等を用いて実現可能である。記憶手段６０７には、識別子リストと、コンテンツ６１２とが記憶される。
【０１５２】
決定手段６０２は、端末２の画面に取得画像２６３０を表示してユーザに選択を促すことで、端末２から画像を送信する画像表示装置１を決定する。画像要求手段６０３は、ネットワーク３に存在する画像表示装置１を検索し、検索された画像表示装置１に対し、取得画像２６３０の送信を要求する。入力手段６０４は、ユーザから端末２に対する操作を受け付ける。
【０１５３】
表示手段６０５は、取得画像２６３０又はコンテンツ６１２を端末２が備える画面に表示させる。画像送信手段６０６は、通信手段４０１を介して、コンテンツ６１２を画像表示装置１に送信する。
【０１５４】
（４．処理手順）
［取得画像表示処理］
まず、ネットワーク３に接続されている画像表示装置１が検索され、端末２の画面に画像表示装置１から収集した取得画像２６３０が表示されるまでの処理手順を説明する。
【０１５５】
図２７は、端末に取得画像２６３０を表示する処理手順の一例を示すシーケンス図である。
【０１５６】
ユーザ操作により、画像表示装置１の検索を開始することが端末２に指示される（Ｓ２００１）。なお、端末２の画面において、ユーザに対し、予め取得画像２６３０の画像サイズを指定させるように促してもよい。画像サイズの指定方法として、例えば、縦１００ピクセル×横１００ピクセルというように、具体的なサイズを指定させるようにしてもよい。以下、端末２の画面で画像サイズが指定された場合におけるステップＳ２００２乃至ステップＳ２０２７の処理手順を説明するが、画像サイズが指定されない場合は、ステップＳ２００２、ステップＳ２０１３乃至ステップＳ２０１９において、画像サイズを含まない信号が送受信され、ステップＳ２０２０の取得画像２６３０を縮小する処理がスキップされる。
【０１５７】
ステップＳ２００２で、入力手段６０４は、画像要求手段６０３に対し、指定された画像サイズを含む検索開始を通知する。続いて、画像要求手段６０３は、通信手段４０１に検索要求を送信し（Ｓ２００３）、通知された画像サイズを記憶しておく。
【０１５８】
検索要求を受けた通信手段４０１は、端末２が接続しているネットワーク３に対し、検索要求を送信する（Ｓ２００４）。当該検索要求は、ブロードキャスト通信によって行われ、当該ネットワーク３に接続されている全ての画像表示装置１に到達する。
【０１５９】
検索要求を受け取った画像表示装置１の通信手段３０１は、要求管理手段５０２に検索要求を受け取ったことを通知する（Ｓ２００５）。続いて、要求管理手段５０２は、機器情報取得要求を機器情報管理手段５０６に送信する（Ｓ２００６）。機器情報管理手段５０６は、記憶手段に記憶されている機器情報５１２から、画像表示装置名２６０１及び画像表示装置アドレス２６０２を取得し（Ｓ２００７）、取得した画像表示装置名２６０１及び画像表示装置アドレス２６０２を含む機器情報取得応答を要求管理手段５０２に送信する（Ｓ２００８）。続いて、要求管理手段５０２は、画像表示装置名２６０１及び画像表示装置アドレス２６０２を含む検索応答を通信手段３０１に送信する（Ｓ２００９）。
【０１６０】
通信手段３０１は、要求管理手段５０２より受信した画像表示装置アドレス２６０２を送信元ＩＰアドレスとする検索応答に、画像表示装置名２６０１を付帯して端末２に送信する（Ｓ２０１０）。
【０１６１】
端末２の通信手段４０１は、画像表示装置１から検索応答を受信すると、画像要求手段６０３に、画像表示装置名２６０１及び画像表示装置アドレス２６０２を含む検索応答受信通知を送信し（Ｓ２０１１）、画像要求手段６０３は、受け取った画像表示装置名２６０１及び画像表示装置アドレス２６０２を記憶しておく（Ｓ２０１２）。前述の通り、端末２から送信される検索要求はブロードキャスト通信のため、ステップＳ２００５乃至ステップＳ２０１０の処理は、端末２から検索要求を受け取った全ての画像表示装置１で実行される。従って、ステップＳ２０１１及びステップＳ２０１２の処理は、ステップＳ２０１０で端末２に検索応答を返した画像表示装置１の各々に対して実行されることになる。
【０１６２】
画像要求手段６０３は、通信手段４０１に対し、ステップＳ２００２で記憶した画像サイズ及びステップＳ２０１２で記憶した画像表示装置アドレス２６０２を含む表示画像取得要求を、ステップＳ２０１０で端末２に検索応答を返した画像表示装置１の各々に対して送信する（Ｓ２０１３）。
【０１６３】
続いて、通信手段４０１は、画像表示装置１の各々に対して、縮小要否フラグ及び画像サイズを含む表示画像取得要求を送信する（Ｓ２０１４）。ここで、縮小要否フラグは、画像サイズが指定される場合に設定されるフラグである。画像サイズが指定される場合、縮小要否フラグには、「縮小必要」が設定され、画像サイズが指定されない場合は、縮小要否フラグには、「縮小不要」が設定される。
【０１６４】
表示画像取得要求を受信した画像表示装置１の通信手段３０１は、画像サイズを含む要求受信通知を要求管理手段５０２に送信する（Ｓ２０１５）。続いて、要求管理手段５０２は、機器情報管理手段５０６に確認要求を送信し（Ｓ２０１６）、機器情報管理手段５０６は、表示中画像情報５１１を検索し（Ｓ２０１７）、表示中画像情報５１１の各パラメータを含む確認応答を要求管理手段５０２に送信する（Ｓ２０１８）。
【０１６５】
図２８は、表示中画像情報の一例を示す図である。図２８（ａ）は、画像表示装置１の画面に表示している画像が端末２から送信された画像である場合における、表示中画像情報５１１の設定例である。図２８（ｂ）は、画像表示装置１の画面に表示している画像が、画像表示装置１に接続された記憶媒体１１０等に記憶された画像である場合における、表示中画像情報５１１の設定例である。端末ユーザ名２５０３には未設定を示す「−」が設定される。図２８（ｃ）は、画像表示装置１の画面に何も表示されていない場合における、表示中画像情報５１１の設定例である。画像表示状態２５０１以外の項目について、未設定を示す「−」が設定される。
【０１６６】
要求管理手段５０２は、受信した表示中画像情報５１１のパラメータのうち、画像取得可否設定２５０５が「取得可」である場合、取得画像送信手段５０４に対し、画像サイズを含む表示画像取得要求を送信する（Ｓ２０１９）。画像取得可否設定２５０５が「取得拒否」である場合、又は画像表示状態２５０１が「非表示中」である場合は、取得画像２６３０を生成しないため、ステップＳ２０１９を実行せずにステップＳ２０２３に進む。
【０１６７】
取得画像送信手段５０４は、画像表示装置１の画面をキャプチャすることで取得画像２６３０を生成し、生成した取得画像２６３０を指定された画像サイズに縮小する（Ｓ２０２０）。続けて、取得画像送信手段５０４は、縮小した取得画像２６３０に対してぼかし加工を行う（Ｓ２０２１）。ぼかし加工は、取得画像２６３０から文字等の細部の情報が読取れないようにすることを目的として行われるものであるため、モザイク加工など、同様の効果が得られる画像加工手段であれば、他の手段も適用できる。なお、ぼかし加工は、必ず実行される必要は無く、予め実行するように設定されている場合に実行するようにしてもよい。
【０１６８】
続いて、取得画像送信手段５０４は、取得画像２６３０を要求管理手段５０２に送信し（Ｓ２０２２）、要求管理手段５０２は、ステップＳ２０１８で受信した確認応答に含まれる表示中画像情報５１１の各パラメータ及び取得画像２６３０を含む表示画像取得応答を通信手段３０１に送信する（Ｓ２０２３）。
【０１６９】
通信手段３０１は、端末２に対し、表示中画像情報５１１の各パラメータ及び取得画像２６３０を含む表示画像取得応答を送信する（Ｓ２０２４）。ここで、取得画像２６３０を生成するステップＳ２０１９乃至ステップＳ２０２２の処理がスキップされた場合、通信手段３０１は、表示中画像情報５１１の各パラメータのみを含む表示画像取得応答を通信手段３０１に送信する。以下、取得画像２６３０が生成された場合を説明するが、取得画像２６３０を生成する処理がスキップされた場合は、ステップＳ２０２５乃至ステップＳ２０２７の処理においては、取得画像２６３０を含まない信号が送受信される。
【０１７０】
端末２の通信手段４０１は、表示画像取得応答を受信すると、画像要求手段６０３に対し、表示中画像情報５１１の各パラメータ及び取得画像２６３０を含む応答受信通知を送信する（Ｓ２０２５）。続いて、画像要求手段６０３は、入力手段に対し、表示中画像情報５１１の各パラメータ、取得画像２６３０、画像表示装置名２６０１及び画像表示装置アドレス２６０２を含む検索終了通知を送信する（Ｓ２０２６）。なお、ステップＳ２０１４において、通信手段４０１は、画像表示装置１の各々に対して表示画像取得要求を送信することから、ステップＳ２０１５乃至ステップ２０２４の処理は、画像表示装置１の各々により実行される。従って、ステップＳ２０２５及びステップＳ２０２６の処理は、ステップＳ２０２４で端末２に表示画像取得応答を返した画像表示装置１の各々に対して実行されることになる。
【０１７１】
続いて、入力手段６０４は、画像表示装置１の各々から受信した表示中画像情報５１１の各パラメータ、取得画像２６３０、画像表示装置名２６０１及び画像表示装置アドレス２６０２を元に、端末２の画面を更新する（Ｓ２０２７）。
【０１７２】
なお、要求管理手段５０２、機器情報管理手段５０６及び取得画像送信手段５０４がステップＳ２０１６乃至ステップＳ２０２３の処理を定期的に実行することで、取得画像２６３０を定期的に端末２に送信するようにしてもよい。端末２の画面に表示される取得画像２６３０を、定期的に最新の取得画像２６３０に更新させることが出来る。
【０１７３】
また、要求管理手段５０２、機器情報管理手段５０６及び取得画像送信手段５０４がステップＳ２０１６乃至ステップＳ２０２３の処理を定期的に実行する場合、取得画像送信手段５０４は、画像表示装置１の画面に表示されている画像が変化した場合にのみ、取得画像２６３０を生成するようにしてもよい。取得画像２６３０を端末２に送信する際の処理負荷及びネットワーク負荷を軽減させることが出来る。
【０１７４】
また、要求管理手段５０２、機器情報管理手段５０６及び取得画像送信手段５０４がステップＳ２０１６乃至ステップＳ２０２３の処理を定期的に実行する場合、取得画像送信手段５０４は、画像表示装置１の画面に表示されている画像が所定量変化した場合にのみ、取得画像２６３０を生成するようにしてもよい。取得画像２６３０を端末２に送信する際の処理負荷及びネットワーク負荷を軽減させることが出来る。画像表示装置１の画面に表示されている画像が所定量変化したことを検出するには、例えば、２つの取得画像２６３０の差異の大きさを数値化し、数値化した値が一定の閾値を超えた場合に所定量変化したと判断してもよい。
【０１７５】
図２９は、端末の画面に表示される取得画像等の一例を示す図である。端末２の画面２６１０には、画像表示装置１の各々から取得した取得画像２６３０、画像表示装置名２６０１、画像表示装置アドレス２６０２、ファイル名２５０２、端末ユーザ名２５０３及び割込接続可否設定２５０４が、画像表示装置１の各々に用意された表示エリア２６２０に収まるように表示される。
【０１７６】
図２９の表示例では、画像表示装置１ａから取得した取得画像２６３０ａ等が表示枠２６２０ａに表示され、画像表示装置１ｂから取得した取得画像２６３０ｂ等が表示枠２６２０ｂに表示されている。なお、画像表示装置１ｂは、記憶媒体１１０に記憶された画像ファイル５１３を表示しているため、表示枠２６２０ｂに端末ユーザ名２５０３は表示されていない。また、画像表示装置１ｃは非表示中の状態であるため、画像表示装置１ｃから取得した画像表示装置名２６０１、画像表示装置アドレス２６０２のみが表示枠２６２０ｃに表示されている。画像表示装置１dは、画像取得可否設定２５０５が「取得拒否」に設定されているため、表示枠２６２０dに取得画像２６３０は表示されていない。
【０１７７】
検索ボタン２６１１は、画像表示装置１の検索を開始する時に用いるボタンであり、検索ボタン２６１１が押下されることで、図２７のステップＳ２００２の処理が開始される。図示しないが、検索ボタン２６１１が押下された場合に、画像サイズの入力を促す画面を表示するようにしてもよい。
【０１７８】
接続ボタン２６１２は、画像表示装置１にコンテンツ６１２を送信する際に押下するボタンである。図示しないが、接続ボタン２６１２が押下された場合に、コンテンツ６１２の選択、画像取得可否設定２５０５及び割込接続可否設定２５０４の入力を促す画面を表示するようにしてもよい。
【０１７９】
［コンテンツ送信処理］
次に、端末２から画像表示装置１にコンテンツ６１２を送信し、画像表示装置１の画面にコンテンツ６１２が表示されるまでの処理手順を説明する。
【０１８０】
図３０は、端末から画像表示装置にコンテンツを送信する処理手順の一例を示すシーケンス図である。
【０１８１】
まず、ユーザは、端末２の画面に表示されている画像表示装置１のうち、少なくとも１つを選択し、接続ボタン２６１２を押下することにより、画像表示装置１にコンテンツ６１２を送信することを指示する（Ｓ２１０１）。なお、ユーザに対し、送信するコンテンツ６１２のファイル名２５０２、画像取得可否設定２５０５又は割込接続可否設定２５０４の入力を促すようにしてもよい。
【０１８２】
続いて、入力手段６０４は、送信するコンテンツ６１２のファイル名２５０２、端末ユーザ名２５０３、画像取得可否設定２５０５及び割込接続可否設定２５０４を含む画像送信開始信号を画像送信手段６０６に送信し（Ｓ２１０２）、画像送信手段６０６は、記憶手段６０７に記憶されているコンテンツ６１２を取得する（Ｓ２１０３）。
【０１８３】
続いて、画像送信手段６０６は、取得したコンテンツ６１２、ファイル名２５０２、端末ユーザ名２５０３、画像取得可否設定２５０５及び割込接続可否設定２５０４を含む画像送信要求を通信手段４０１に送信し（Ｓ２１０４）、通信手段４０１は、画像表示装置１に、コンテンツ６１２、ファイル名２５０２、端末ユーザ名２５０３、画像取得可否設定２５０５及び割込接続可否設定２５０４を含む画像送信要求を送信する（Ｓ２１０５）。
【０１８４】
画像表示装置１の通信手段３０１は、画像送信信号を受信すると、画像受信通知を要求管理手段５０２に送信する（Ｓ２１０６）。続いて、要求管理手段５０２は、機器情報管理手段５０６に確認要求を送信する（Ｓ２１０７）。機器情報管理手段５０６は、表示中画像情報５１１を検索し（Ｓ２１０８）、表示中画像情報５１１の各パラメータを含む確認応答を要求管理手段５０２に送信する（Ｓ２１０９）。
【０１８５】
要求管理手段５０２は、表示中画像情報５１１の画像表示状態２５０１が「非表示中」、又は割込接続可否設定２５０４が「割込可」である場合に、表示手段５０５にコンテンツ６１２を含む画像表示要求を送信し（Ｓ２１１０）、割込接続可否設定２５０４が「割込拒否」である場合は、表示手段５０５に画像表示要求を送信せずに（すなわち、Ｓ２１１０の処理を実行せずに）、処理を終了する。続いて、表示手段５０５は、画像表示装置１の画面にコンテンツ６１２を表示させる（Ｓ２１１１）。
【０１８６】
要求管理手段５０２は、ステップＳ２１１０の処理の後、機器情報管理手段５０６に、「表示中」が設定された画像表示状態２５０１、ファイル名２５０２、端末ユーザ名２５０３、画像取得可否設定２５０５及び割込接続可否設定２５０４を含む更新要求を送信する（Ｓ２１１２）。
【０１８７】
機器情報管理手段５０６は、表示中画像情報５１１の各パラメータを、ステップＳ２１１２で受信した画像表示状態２５０１、ファイル名２５０２、端末ユーザ名２５０３、画像取得可否設定２５０５及び割込接続可否設定２５０４にて更新し（Ｓ２１１３）、更新完了を要求管理手段５０２に通知する（Ｓ２１１４）。
【０１８８】
続いて、画像表示装置１に記憶媒体１１０を接続し、当該記憶媒体１１０に記憶された画像ファイル５１３を画像表示装置１の画面に表示するまでの処理手順を説明する。
【０１８９】
図３１は、記憶媒体に記憶された画像ファイルを画像表示装置の画面に表示する処理手順の一例を示すシーケンス図である。
【０１９０】
まず、ユーザが画像表示装置１を操作することによって（Ｓ２２０１）、入力手段５０３は、ファイル管理手段５０７にファイル情報読出信号を送信する（Ｓ２２０２）する。続いて、ファイル管理手段５０７は、記憶媒体１１０に記憶されている画像ファイル５１３の一覧を入力手段５０３に送信し（Ｓ２２０３）、入力手段５０３により画像ファイル５１３の一覧が表示される。（Ｓ２２０４）。
【０１９１】
次に、ユーザの操作によって、画像表示装置１の画面に表示する画像ファイル５１３のファイル名２５０２、割込接続可否設定２５０４及び画像取得可否設定２５０５が指定されると（Ｓ２２０５）、入力手段５０３は、画像ファイル５１３のファイル名２５０２、割込接続可否設定２５０４及び画像取得可否設定２５０５を含む要求管理手段５０２に画像表示要求を送信する（Ｓ２２０６）。
【０１９２】
要求管理手段５０２は、ファイル管理手段５０７に対し、指定されたファイル名２５０２の画像ファイル５１３をアクセス可能な状態にすることを要求する（Ｓ２２０７）。続いて、要求管理手段５０２は、表示手段５０５に画像表示要求を送信し（Ｓ２２０８）、表示手段５０５は、当該画像ファイル５１３を画像表示装置１の画面に表示させる（Ｓ２２０９）。
【０１９３】
要求管理手段５０２は、ステップＳ２２０８を実行した後、図３０のステップＳ２１１２乃至ステップＳ２１１４の処理を行う。すなわち、要求管理手段５０２は、ステップＳ２２０６で受信した画像ファイル５１３のファイル名２５０２、割込接続可否設定２５０４及び画像取得可否設定２５０５を機器情報管理手段５０６に送信し、機器情報管理手段５０６は表示中画像情報５１１を更新する。
【０１９４】
なお、図３１に示す処理手順においては、画像表示装置１は、表示中画像情報５１１の割込接続可否設定２５０４に関わらず画像ファイル５１３を表示するようにしたが、ステップＳ２２０６とステップＳ２２０７との間で、図３０に示すステップＳ２１０７乃至ステップＳ２１０９と同一の処理を実行するようにしてもよい。すなわち、画像表示装置１は、表示中画像情報５１１の画像表示状態２５０１が「非表示中」、又は割込接続可否設定２５０４が「割込可」である場合に、表示手段５０５に画像表示要求を送信し（Ｓ２２０８）、割込接続可否設定２５０４が「割込拒否」である場合は、ステップＳ２２０８の処理を実行せずに処理を終了するようにしてもよい。
【０１９５】
［接続確認処理］
次に、端末２から送信した確認タグを画像表示装置１に表示させることで、端末２と画像表示装置１との間で接続確認を行う処理手順について説明する。ここで、確認タグとは、任意の画像又は文字を組み合わせたものである。端末２から送信した確認タグは、画像表示装置１の画面に表示されている画像の上に重ねて表示される。これにより、接続先の画像表示装置１が目的の画像表示装置１であるかどうかの判断を、より確実にすることができるという効果が得られる。
【０１９６】
図３２は、端末及び画像表示装置の間で接続確認を行う処理手順の一例を示すシーケンス図である。
【０１９７】
ユーザの操作によって（Ｓ２３０１）、入力手段６０４は確認タグ及び画像表示装置アドレス２６０２を含む接続確認要求を通信手段４０１に送信する（Ｓ２３０２）。ここで、ステップＳ２３０１では、例えば、図２９に示す画面２６１０において、表示枠２６２０ａ乃至表示枠２６２０ｄのうち少なくともいずれか一つを選択することで確認タグを送信する画像表示装置１を選択出来るようにしてもよい。
【０１９８】
続いて、通信手段４０１は、確認タグを含む接続確認要求を、受信した画像表示装置アドレス２６０２が示す画像表示装置１に送信する（Ｓ２３０３）。
【０１９９】
画像表示装置１の通信手段３０１は、接続確認要求を受け取ったことを要求管理手段５０２に通知し（Ｓ２３０４）、要求管理手段５０２は表示手段５０５に確認タグを含む接続確認要求を送信する（Ｓ２３０５）。表示手段５０５は、画像表示装置１の画面に確認タグを表示させる（Ｓ２３０６）。
【０２００】
以上、第二の実施の形態によれば、ユーザは、端末２上に一覧表示されている画像と、画像表示装置１の各々の画面に表示されている画像とを比較することで、端末２を誤った画像表示装置１に接続させてしまう可能性を低減させることができる。
【０２０１】
また、画像表示装置１が使用中の状態であっても、ユーザは、画像表示装置１の使用を中止させることなく、目的の接続先の画像表示装置１を選択することができる。
【０２０２】
なお、第二の実施の形態において、取得画像２６３０は識別子の一例である。また、取得画像送信手段５０４は第一の送信手段の一例である。また、画像送信手段６０６は第二の送信手段の一例である。また、表示手段５０５は第一の表示手段の一例である。また、表示手段６０５は第二の表示手段の一例である。また、ファイル名２５０２は画像の名称の一例である。また、端末ユーザ名２５０３は端末情報の一例である。
【０２０３】
以上、各実施の形態に係る画像表示システムについて説明したが、本発明は各実施の形態に限定されるものではなく、本発明の範囲内で種々の変形及び改良が可能である。また、シーケンス及びフローチャートは、矛盾の無い限り順序を入れ替えてもよい。
【０２０４】
以上、各実施の形態の全部又は一部は、プログラムによって実装され得る。このプログラムは、記憶媒体１１０に格納することができる。
【０２０５】
以上、各実施の形態は部分的に組み合わせることができる。
【符号の説明】
【０２０６】
１  画像表示装置
２  端末
３  ネットワーク
３０１、４０１  通信手段
３０３  送信手段
３０５、４０５、５０５、６０５  表示手段
３０６、４０７、５０８、６０７  記憶手段
４０２  識別子生成手段
４０３、６０２  決定手段
４０４  キャプチャ手段
４０６、５０３  入力手段
４１１  識別子リスト
６１２  コンテンツ
５０４  取得画像送信手段
６０６  画像送信手段
１１０２  許可証
１１０３  画像表示装置アドレス
２５０２  ファイル名
２６３０  取得画像
【先行技術文献】
【特許文献】
【０２０７】
【特許文献１】特開２００４−５４１３４号公報
【特許文献２】特開２００９−２９６６６１号公報
【特許文献３】特開２０１２−１９８６４０号公報
【図１】
2016045291.tif 000003
【図２】
2016045291.tif 000004
【図３】
2016045291.tif 000005
【図４】
2016045291.tif 000006
【図５】
2016045291.tif 000007
【図６】
2016045291.tif 000008
【図７】
2016045291.tif 000009
【図８】
2016045291.tif 000010
【図９】
2016045291.tif 000011
【図１０】
2016045291.tif 000012
【図１１】
2016045291.tif 000013
【図１２】
2016045291.tif 000014
【図１３】
2016045291.tif 000015
【図１４】
2016045291.tif 000016
【図１５】
2016045291.tif 000017
【図１６】
2016045291.tif 000018
【図１７】
2016045291.tif 000019
【図１８】
2016045291.tif 000020
【図１９】
2016045291.tif 000021
【図２０】
2016045291.tif 000022
【図２１】
2016045291.tif 000023
【図２２】
2016045291.tif 000024
【図２３】
2016045291.tif 000025
【図２４】
2016045291.tif 000026
【図２５】
2016045291.tif 000027
【図２６】
2016045291.tif 000028
【図２７】
2016045291.tif 000029
【図２８】
2016045291.tif 000030
【図２９】
2016045291.tif 000031
【図３０】
2016045291.tif 000032
【図３１】
2016045291.tif 000033
【図３２】
2016045291.tif 000034